(57)【要約】【課題】  ケーブル付ユニットの組立作業と、ケーブルの配線作業を容易にすることができる通信機器筐体を提供する。【解決手段】  複数のユニットを搭載するユニット搭載基部５と、底面を構成するトレー２とを備え、ユニット搭載基部５の前面５ｂには、ケーブル４を引き出すための複数のケーブル引出孔６が設けられ、トレー２は、筐体１の側面に形成された支点８を中心に軸回転で開閉可能な構造であり、トレー２には、ケーブル引出孔６を貫通させるケーブル４が接続されたケーブル付ユニット３が取り付けられる通信機器筐体である。【選択図】        図２
2012004378.tif 000002
【特許請求の範囲】
【請求項１】
通信機器の筐体であって、
複数のユニットを搭載するユニット搭載基部と、
底面を構成するトレーとを備え、
前記ユニット搭載基部の前面には、ケーブルを引き出すための複数のケーブル引出孔が設けられ、
前記トレーは、筐体側面に形成された支点を中心に軸回転で開閉可能な構造であり、
前記トレーには、前記ケーブル引出孔を貫通させるケーブルが接続されたケーブル付ユニットが取り付けられることを特徴とする通信機器の筐体。
【発明の詳細な説明】
【技術分野】
【０００１】
本発明は、通信機器の筐体に係り、特に、組立作業を容易にできる通信機器筐体に関する。
【背景技術】
【０００２】
［従来の技術］
従来の通信機器の筐体は、底面トレーにケーブル付ユニットが搭載された構造の場合、当該底面トレーは、引き出しのようにスライドさせる構造となっており、ケーブル付ユニットを組み立てるのに、底面トレーを引き出して作業を行っていた。
【０００３】
［関連技術］
尚、関連する先行技術として、特開２００２−２９００６３号公報「電子機器の筐体構造」（株式会社日立国際電気）［特許文献１］がある。
特許文献１には、筐体構造を壁掛け用と、床置き用と区別なく設置可能な電子機器の筐体構造が記載されている。
【先行技術文献】
【特許文献】
【０００４】
【特許文献１】特開２００２−２９００６３号公報
【発明の概要】
【発明が解決しようとする課題】
【０００５】
しかしながら、上記従来の通信機器では、ケーブル付ユニットを底面トレーに設置して組み立てる場合に、底面トレーを引き出して作業を行い、当該ユニットからの配線を筐体前面の配線貫通孔から引き出す作業を行うが、底面トレーを引き出した状態での作業はしづらく、底面トレーを元に戻す時に、ケーブルの挟み込みに注意しなければならないという問題点があった。
【０００６】
本発明は上記実状に鑑みて為されたもので、ケーブル付ユニットの組立作業と、ケーブルの配線作業を容易にすることができる通信機器筐体を提供することを目的とする。
【課題を解決するための手段】
【０００７】
上記従来例の問題点を解決するための本発明は、通信機器の筐体であって、複数のユニットを搭載するユニット搭載基部と、底面を構成するトレーとを備え、ユニット搭載基部の前面には、ケーブルを引き出すための複数のケーブル引出孔が設けられ、トレーは、筐体側面に形成された支点を中心に軸回転で開閉可能な構造であり、トレーには、ケーブル引出孔を貫通させるケーブルが接続されたケーブル付ユニットが取り付けられることを特徴とする。
【発明の効果】
【０００８】
本発明は、ユニット搭載基部には複数のユニットを搭載し、トレーは底面を構成し、ユニット搭載基部の前面には、ケーブルを引き出すための複数のケーブル引出孔が設けられ、トレーは、筐体側面に形成された支点を中心に軸回転で開閉可能な構造であり、トレーには、ケーブル引出孔を貫通させるケーブルが接続されたケーブル付ユニットが取り付けられる通信機器の筐体としているので、ケーブル付ユニットの組立作業と、ケーブルの配線作業を容易にすることができる効果がある。
【図面の簡単な説明】
【０００９】
【図１】本発明の実施の形態に係る通信機器筐体の斜視図である。
【図２】本筐体の背面方向からトレーを開いた状態を示す図である。
【図３】本筐体でトレーを開いた状態の側面図である。
【発明を実施するための形態】
【００１０】
本発明の実施の形態について図面を参照しながら説明する。
［実施の形態の概要］
本発明の実施の形態に係る通信機器筐体は、複数のユニットを搭載するユニット搭載基部と、底面を構成するトレーとを備えており、ユニット搭載基部の前面には、複数のケーブル引出孔が設けられ、トレーは、筐体側面に形成された支点を中心に軸回転で開閉可能な構造であり、トレーには、ケーブル引出孔を貫通させるケーブルが接続されたケーブル付ユニットが取り付けられるものであり、ケーブル付ユニットの組立作業と、ケーブルの配線作業を容易にすることができる。
【００１１】
［本筐体の概要：図１］
本発明の実施の形態に係る通信機器筐体（本筐体）について図１を参照しながら説明する。図１は、本発明の実施の形態に係る通信機器筐体の斜視図である。
本筐体１は、図１に示すように、箱形状のラックとなっており、底面のトレー２と、ユニット搭載基部５とを基本的に備えている。
【００１２】
筐体１の上面後方には各ユニットに対応して熱を排出する複数の排出口と、側面には吸気用の吸気口が設けられ、前面からユニットをユニット搭載基部５に搭載し、ケーブル４を前面に引き出すようになっている。
【００１３】
ユニット搭載基部５は、ユニット搭載面の上面５ａと、ケーブル引出孔６と前面吸気口７が形成された前面５ｂとから構成されている。
図１に示すように、前面５ｂのケーブル引出孔６からケーブル付ユニットに接続するケーブル４が引き出されるようになっている。
【００１４】
［本筐体の背面：図２］
次に、本筐体について底面のトレーを開いた状態について図２を参照しながら説明する。図２は、本筐体の背面方向からトレーを開いた状態を示す図である。
本筐体１の背面は、図２に示すように、ユニット搭載基部５の前面５ｂが本筐体１の側面に接続する部分の底面側の近傍に支点８を形成し、底面のトレー２が支点８を中心に軸回転で下方向に開閉可能に取り付けられている。
【００１５】
トレー２には、ケーブル付ユニット３が搭載され、取り付けられている。
また、ケーブル付ユニット３からは複数のケーブル４が引き出されており、ユニット搭載基部５の前面５ｂに形成されたケーブル引出孔６から前面方向に引き出されるようになっている。具体的には、ケーブル引出孔６から例えば２本のケーブルが引き出されるものである。
【００１６】
［本筐体の側面：図３］
本筐体の側面について図３を参照しながら説明する。図３は、本筐体でトレーを開いた状態の側面図である。
本筐体１の側面は、図３に示すように、ケーブル付ユニット３が取り付けられたトレー２が支点８を中心に下側に開くことができるようになっている。
【００１７】
このような底面のトレー２を扉のように、支点８を中心に軸回転で開閉可能とすることで、トレーをスライドさせた従来の構造に比べて、ケーブル付ユニット３の取り付け、ケーブル４の前面方向への引き出し等の配線の作業が容易となるものである。
【００１８】
特に、ケーブル付ユニット２からのケーブル４をユニット搭載基部５の前面５ｂのケーブル引出孔６に貫通させる作業が非常に容易になるものである。
更に、軸回転でトレー２を開閉させる構造であるため、従来のようにスライドさせたトレーを元に戻す（前方向にスライドさせる）際に、ケーブルを挟み込んでしまうことがない。
【００１９】
［本筐体の組立動作］
本実施の形態に係る通信機器の組立動作は、筐体１の底面のトレー２を扉のように開いた状態で、ケーブル接続されたケーブル付ユニット３をトレー２に搭載してネジ止め等の取り付け作業を行い、更にケーブル付ユニット２からのケーブル４をユニット搭載基部５の前面５ｂのケーブル引出孔６に貫通させ、前面にケーブル４を引き出す。
そして、ユニット搭載基部５の上面５ａに各ユニットを搭載する作業を行う。
【００２０】
［本筐体の効果］
本筐体によれば、底面のトレー２が支点８を中心に軸回転で開閉可能とすることで、トレー２にケーブル付ユニット３を容易に取り付けることができ、ケーブル付ユニット３に接続するケーブル４をユニット搭載基部５の前面５ｂに設けられたケーブル引出孔６に容易に貫通させることができ、組立作業及び配線作業等の作業効率を向上させることができる効果がある。
【００２１】
また、本筐体によれば、従来のスライド式に比較してレール等の部品が不要となるため、部品点数を削減できる効果がある。
また、本筐体によれば、従来のスライド式と比べてケーブル付ユニット３からのケーブル４を挟み込むことがなく、ケーブルの引き回しを容易に行うことができる効果がある。
【００２２】
［実施の形態の特徴］
次に、本発明の実施の形態に係る特徴部分を以下にまとめる。
［特徴１］
通信機器の筐体１であって、複数のユニットを搭載するユニット搭載基部５と、底面を構成するトレー２とを備え、ユニット搭載基部５の前面５ｂには、ケーブル４を引き出すための複数のケーブル引出孔６が設けられ、トレー２は、筐体１の側面に形成された支点８を中心に軸回転で開閉可能な構造であり、トレー２には、ケーブル引出孔６を貫通させるケーブル４が接続されたケーブル付ユニット３が取り付けられることを特徴とする。
【００２３】
［特徴２］
上記通信機器の筐体１であって、軸回転の中心となる支点８は、ユニット搭載基部５の前面５ｂが接続する部分の底面側近傍の側面に設けられることを特徴とする。
【００２４】
［特徴３］
上記通信機器の筐体１であって、ユニット搭載基部５の前面５ｂには、複数の前面吸気口７が設けられ、筐体１の上面後方に熱を排出する複数の排出口が設けられていることを特徴とする。
【００２５】
［特徴４］
通信機器の組立方法であって、筐体１の側面に形成された支点８を中心に軸回転で開閉可能な構造のトレー２が開状態となり、トレー２に、複数のケーブル４が接続されたケーブル付ユニット３が取り付けられ、複数のケーブル４が、筐体１のユニット搭載基部５の前面５ｂに形成された複数のケーブル引出孔６に貫通して前面５ｂに引き出されることを特徴とする。
【産業上の利用可能性】
【００２６】
本発明は、ケーブル付ユニットの組立作業と、ケーブルの配線作業を容易にすることができる通信機器筐体に好適である。
【符号の説明】
【００２７】
１…筐体、  ２…トレー、  ３…ケーブル付ユニット、  ４…ケーブル、  ５…ユニット搭載基部、  ５ａ…上面、  ５ｂ…前面、  ６…ケーブル引出孔、  ７…前面吸気口、  ８…支点
【図１】
2012004378.tif 000003
【図２】
2012004378.tif 000004
【図３】
2012004378.tif 000005